(57)【要約】【課題】  ラップフィルム使用時に切り離した残りのラップフィルムの耳が、ロールに戻って巻き付いたり、張り付くのを防止するラップホルダーを提供する。【解決手段】  ラップフィルム１５のロール１２を収納するケース本体１と、このケース本体１の上部開口部６を覆う支点８を軸に回動する蓋２を有し、この蓋２の回動方向先端部の内側にカッター３を備え、このカッター３と収納されたロール１２との中間でカッター３と隣接する位置に、棒状横長の突起４を備え、ケース本体１には前記突起４と適合する位置に、受け部５を設けたことを特徴とするラップホルダー。【選択図】図１
2007153440.tif 000002
【特許請求の範囲】
【請求項１】
ラップフィルム１５のロール１２を収納するケース本体１と、このケース本体１の上部開口部６を覆う支点８を軸に回動する蓋２を有し、この蓋２の回動方向先端部の内側にカッター３を備え、このカッター３と収納されたロール１２との中間でカッター３と隣接する位置に、棒状横長の突起４を備え、ケース本体１には前記突起４と適合する位置に、受け部５を設けたことを特徴とするラップホルダー。
【請求項２】
ケース本体１の長辺方向両末端部の側板７の相対向した位置に、ロール１２を支持するため巻き芯１３の中空部１４に挿入される補助材の心棒１７を軸支する、合成樹脂材の特性である反発弾性を生かした支え部９を設けたことを特徴とする請求項１に記載のラップホルダー。
【請求項３】
蓋２の長辺方向両末端部内側の相対向した位置に、アーム１０を設けたことを特徴とする請求項１または請求項２に記載のラップホルダー。
【発明の詳細な説明】
【技術分野】
【０００１】  本発明はラップフィルム使用時に切り離した残りのラップフィルムの耳が、ロールに戻って巻き付いたり、張り付くのを防止するラップホルダーに関するものである。
【背景技術】
【０００２】  従来は切り離した残りのラップフィルムの耳が戻るのを防止するために、ケースの外側に設けた接着面に張り付ける方法とか、滑り止め効果のある仕掛けを設けたものとか様々な方法が考えられている。（特許文献１参照）【特許文献１】特開２００５−８８９９１（Ｐ２００５−８８９９１Ａ）
【発明の開示】
【発明が解決しようとする課題】
【０００３】  そのためには次のような問題点があった。（イ）ラップホルダーはその使用目的からして製品の精度は良いとは考えられないし、また要求されるものでもない。  したがって製品の変形、ゆるみ等は必ずあるという前提でその目的の機能が果たせなくては意味がない。  それを考慮すると滑り止めの材料を用いて対応しても、ラップフィルムと滑り止め材との間に隙間が生じていたのでは、その効果は無いに等しい。（ロ）ラップフィルムを切り離した残りの耳の部分をつまむのに、必要と思はれる配慮が不足していて、つまみにくい。（ハ）構造が複雑で部品が多いためコストが高くなる。  本発明は以上の問題点を解決するためになされたものである。
【課題を解決するための手段】
【０００４】  ラップフィルム１５のロール１２を収納するケース本体１と、このケース本体１の上部開口部６を覆う支点８を軸に回動する蓋２を有し、この蓋２の回動方向先端部の内側にカッター３を備え、このカッター３と収納されたロール１２との中間でカッター３と隣接する位置に棒状横長の突起４を備え、ケース本体１には前記突起４と適合する位置に、受け部５を設けたことを特徴とするラップホルダー。
【発明の効果】
【０００５】  本発明はカッターと収納されたロールとの中間の位置に、蓋の裏面に設けた棒状横長の突起と、これに対応してケース本体に設けた受け部とにより、ラップフィルムを噛み合うようにして挟み付け、且つ受け部に密着する構造になっているので、ラップフィルムを切り離した残りの耳がロールに戻るのは確実に防止できる。  これによりラップ掛け作業を行う際には、蓋を開ければつまみやすい程度の耳が常に確保され、わずらわしさが生じることはない。  また構造が単純なので製作コストが低くなる。
【発明を実施するための最良の形態】
【０００６】  以下、本発明の実施の形態について説明する。（イ）ロール１２を収納するケース本体１と、このケース本体１の上部開口部６を覆う蓋２を支点８で軸支する。（ロ）蓋２の回動方向先端部の内側に、カッター３を備え、このカッター３と収納されたロール１２との中間で、カッター３と隣接する位置に、棒状横長の突起４を設ける。（ハ）突起４と適合する位置の本体１に受け部５を設ける。  この受け部５は切り離した残りの耳１６が、つまめる程度に確保できる位置と形状とし、受け部５のラップフィルム１５との接触面は凹凸のある粗面にする。  突起４および受け部５の断面形状については、種々考えられるので、その例を図２の他に、図４および図５の２例を示すが、これら３例のみに限定するものではない。  本発明は以上の構造である。  これを使用するには、ケース本体１の蓋２を開けて、ラップフィルム１５の耳１６をつまんで引き出し、必要分が引き出せたならば、蓋２を閉めることで上下に設けた、突起４および受け部５とにより、ラップフィルム１５を確実に挟み付けることができる。  これによりラップフィルム１５を切り離した後に、ラップフィルム１５の耳１６を常に確保した状態を保つことができる。【０００７】  また図１、図６、および図７に示すように、ケース本体１の長辺方向の両末端部側板７の相対向した位置に、ロール１２を支持するために、巻き芯１３の中空部１４内に挿入される補助部材である、心棒１７を軸支するため、合成樹脂材の特性である、反発弾性を生かした支え部９を側板７から突出して設ける。  この支え部９は正面から見ると、半月状のリングの形状をしており、上部には心棒１７を装着するための投入口１８をもつ。  この投入口１８に近いある一定の範囲のリングの形状部分は支え部９と側板７とを固着せずに、心棒１７を装着する際には、心棒１７を押し込むと、投入口１８が拡張するようになっている。  これにより通常の使い方の場合には、ロール１２がケース本体１から飛び出すのを防止できる効果があるのと、更に垂直面に取り付けても支障なく使用することができる。【０００８】  また図１、図３におよび図６に示すように、蓋２の長辺方向両末端部内側の相対向した位置に、アーム１０をケース本体１に向けて突き出すように設ける。  このアーム１０は上下に計２ヶ所のフック１１ａと１１ｂとを備えており、ケース本体１両末端部の側板７に設けた、フック１１ｃと適合する位置に設ける。  これによりケース本体１を固定して、アーム１０を活用して蓋２を半開きの状態にしておけば、両手を使うことにより巾の広い物のラップ掛け作業でも１人で円滑に行うことができる。【０００９】  また、図６に示すようにケース本体１の底板１９にドライバー等の道具で簡単に穴明けができるノック穴２０を、ケース本体１の長さに応じて必要個所に設ける。  これによりケース本体１を、水平面でも垂直面でもビス止め、吸着盤等により固定することができる。
【図面の簡単な説明】
【００１０】
【図１】本発明の斜視図
【図２】本発明の部分拡大断面図
【図３】本発明の横断面図
【図４】本発明の他の実施例の部分拡大断面図
【図５】本発明の他の実施例の部分拡大断面図
【図６】本発明の垂直面への取り付けを想定した部分斜視図
【図７】（ａ）  本発明の支え部正面図          （ｂ）  本発明の支え部正面図
【図８】（ａ）  本発明の要部を拡大した説明図          （ｂ）  図８（ａ）のＡ−Ａ断面図          （ｃ）  本発明の要部を拡大した説明図          （ｄ）  図８（ｃ）のＢ−Ｂ断面図
【符号の説明】
【００１１】  １  ケース本体  ２  蓋  ３  カッター  ４  突起  ５  受け部  ６  開口部  ７  側板  ８  支点  ９  支え部  １０  アーム  １１ａ、１１ｂ、１１ｃ  フック  １２  ロール  １３  巻き芯  １４  中空部  １５  ラップフィルム  １６  耳  １７  心棒  １８  投入口  １９  底板  ２０  ノック穴
【図１】
2007153440.tif 000003
【図２】
2007153440.tif 000004
【図３】
2007153440.tif 000005
【図４】
2007153440.tif 000006
【図５】
2007153440.tif 000007
【図６】
2007153440.tif 000008
【図７】
2007153440.tif 000009
【図８】
2007153440.tif 000010